(57)【要約】【課題】  親バンドと複数の小穴を有する剣先バンドを備えたバンドであっても、バンドとくに小穴付近を傷めないバンドに優しい留め構造を提供することにある。【解決手段】  本考案のバンドの留め構造１０は、剣先バンド３０の先端３１と相対する親バンド２０の端部２１から延設体２２を介して設けられた起立部２５を備える。また、親バンド２０端部２１には、略コ字形の美錠２６が回動可能に取り付けられ、剣先バンド３０の小穴３２に通した起立部２５と係合するようになっている。この美錠２６と起立部２５の係合により、剣先バンド３０と親バンド２０が留め合わされる。【選択図】  図１
0003108504.tif 000002
【実用新案登録請求の範囲】
【請求項１】
親バンドと複数の小穴を有する剣先バンドを留めるバンドの留め構造であって、
剣先バンド先端と相対する親バンドの端部から延設して設けられた起立部と、
当該親バンド端部に回動可能に取り付けられ、剣先バンドの小穴に通した起立部と係合し、剣先バンドと親バンドを留め合わせる美錠とを備えたバンドの留め構造。
【請求項２】
美錠には、プッシュ式留具を備えて起立部と係合させる請求項１記載のバンドの留め構造。
【請求項３】
起立部を親バンドの端部から延設して設けるための延設体は、親バンドの端部へ取付固定するために、略コ字形に形成された取付口を備えた請求項１又は２記載のバンドの留め構造。
【請求項４】
請求項１から３のいずれかに記載のバンドの留め構造を備えたバンド。
【考案の詳細な説明】
【技術分野】
【０００１】
本考案は、親バンドと複数の小穴を有する剣先バンドを備えたバンドの留め構造に関するものである。
【背景技術】
【０００２】
皮革バンドや樹脂バンドなどは、美錠を備えた親バンドと複数の小穴を有する剣先バンドからなり、この美錠と小穴を介して親バンドと剣先バンドを留める構造となっている（特許文献１の図３および図４を参照）。
【０００３】
【特許文献１】実開昭６２−２００９２２号公報
【考案の開示】
【考案が解決しようとする課題】
【０００４】
しかし、この従来のバンドの留め構造では、構造上バンドが傷みやすくなっている。すなわち、図４（Ａ）は従来のバンドの留め構造５０を平面からみた平面図であるが、剣先バンド５１の小穴５２に通したツク棒５３を美錠５４の小判穴５５に掛止めすることで、親バンド５６と剣先バンド５１を留めるようになっている。しかしこのような構造であると、剣先バンド５１の小穴５２付近が美錠５４とくにその角に強く当接し、その当接部分が傷みやすくなる。通常、剣先バンド５１よりも美錠５４の方が硬い材質からなっているので、どうしても剣先バンドの方が傷んでしまう。
【０００５】
そこで、本考案は、このような親バンドと複数の小穴を有する剣先バンドを備えたバンドであっても、バンドとくに小穴付近を傷めないバンドに優しい留め構造を提供するものである。
【課題を解決するための手段】
【０００６】
上記目的を達成するために、第一の考案は、親バンドと複数の小穴を有する剣先バンドを留めるバンドの留め構造にあって、剣先バンド先端と相対する親バンドの端部から延設して設けられた起立部と、当該親バンド端部に回動可能に取り付けられ、剣先バンドの小穴に通した起立部と係合し、剣先バンドと親バンドを留め合わせる美錠とを備えたことを特徴とするものである。ここで、「親バンド」とは、腕時計の場合でいう１２時側につくバンドをいい、「剣先バンド」とは、６時側につくバンドをいう。
第二の考案は、美錠には、プッシュ式留具を備えて起立部と係合させることを特徴とするものである。ここで、「プッシュ式留具」とは、一般的な腕時計バンドで使用されているものであり、具体的には、交差させた一対の鉤型片を互いに外側へ付勢させてその交差部分で起立部を挟み込みながら、鉤型片を内側へ押圧することで起立部の挟み込みを解除する起立部挿入孔を有するものである。
第三の考案は、起立部を親バンドの端部から延設して設けるための延設体は、親バンドの端部へ取付固定するために、略コ字形に形成された取付口を備えたことを特徴とするものである。
第四の考案は、上記第一から第三のバンドの留め構造を備えたバンドである。この「バンド」には、時計バンドの他に、服飾や身飾品などで使用されるバンド、荷造りのために使用されるバンドなど、様々な用途のバンド類（「バンド」の名称の有無を問わない）を含むものである。
【考案の効果】
【０００７】
本考案によれば、以下のような効果を有する。
（１）本考案のバンドの留め構造は、剣先バンド先端と相対する親バンドの端部から延設して設けられた起立部と、当該親バンド端部に回動可能に取り付けられ、剣先バンドの小穴に通した起立部と係合する美錠とが、剣先バンドを上から押さえ付けるような状態になるので、剣先バンドの一部分が強く美錠と当接することがない。このため、バンドに加わるストレスが従来技術よりも少なく、バンドの傷みを防止できる。
（２）従来技術のように、ツク棒がバンド表面に出ないので、外観的なデザインがすっきりしたものになる。
（３）美錠にプッシュ式留具を備えることで、バンドの着脱が容易になる。
【考案を実施するための最良の形態】
【０００８】
本考案の実施の形態を図面に基づいて説明する。
図１および図２は、本考案のバンド留めの構造を示す説明図であり、図１は親バンド２０と剣先バンド３０を留め合わせる前の状態を示し、図２は親バンド２０と剣先バンド３０を留め合わせた後の状態（説明の都合上、剣先バンド３０は省略した）を示したものである。
【０００９】
図１に示すように、本考案のバンドの留め構造１０は、剣先バンド３０の先端３１と相対する親バンド２０の端部２１から延設体２２を介して設けられた起立部２５を備える。この延設体２２は、図３に示すように、略コ字形に形成された取付口２３を備え親バンド２０の端部２１へ取付固定されている。このため、延設体２２の先端部に設けられた起立部２５は、親バンド２０の端部２１の延長線上にあっても回転せずに、後記する美錠２６との係合が安定する。
【００１０】
また、親バンド２０端部２１には、略コ字形の美錠２６が回動可能に取り付けられ、剣先バンド３０の小穴３２に通した起立部２５と係合するようになっている。この美錠２６と起立部２５の係合により、剣先バンド３０と親バンド２０が留め合わされる。ここで、美錠２６にプッシュ式留具２７を備えることで、ワンタッチでバンドの着脱が行え、着脱操作が容易になる。
【００１１】
図４（Ｂ）は、本考案のバンドの留め構造を平面からみた平面図である。図４（Ａ）に示す従来のバンドの留め構造５０と比較すると、本考案のバンドの留め構造１０では、起立部２５と係合する美錠２６が、剣先バンド３０を上から押さえ付けるような状態になっているだけで、とくに剣先バンド３０の一部分が強く美錠２６と当接することがない。このため、バンドに加わるストレスが従来技術よりも少なく、その結果バンドの傷みを防止できる。また、デザインとしても従来の留め構造５０と比べて非常にすっきりしている。
【産業上の利用可能性】
【００１２】
本考案は、ひろくバンド類の留め構造として利用できるものであり、時計バンドの他に、服飾や身飾品などで使用されるバンド、荷造りのために使用されるバンドなど、様々な用途のバンド類（「バンド」の名称の有無を問わない）に利用できる。
【図面の簡単な説明】
【００１３】
【図１】本考案のバンド留め構造を示す説明図。
【図２】本考案のバンド留め構造を示す説明図。
【図３】親パーツへの延設体の取付方法を示す説明図。
【図４】（Ａ）従来のバンドの留め構造を示す平面図、（Ｂ）本考案のバンドの留め構造を示す平面図。
【符号の説明】
【００１４】
１０  バンドの留め構造
２０  親バンド      ２１  端部    ２２  延設体    ２３  取付口
２５  起立部        ２６  美錠    ２７  プッシュ式留具
３０  剣先バンド    ３１  先端    ３２  小穴
５０  従来のバンドの留め構造    ５１  剣先バンド    ５２  小穴
５３  ツク棒    ５４  美錠      ５５  小判穴        ５６  親バンド
【図１】
0003108504.tif 000003
【図２】
0003108504.tif 000004
【図３】
0003108504.tif 000005
【図４】
0003108504.tif 000006